(57)【要約】      （修正有）【課題】密閉性が高く、繰り返し使用が可能である消臭機能付きペット用汚物容器を提供する。【解決手段】着脱可能な底部２１を有する容器本体２０と、密閉自在な蓋部３０とからなり、前記蓋部には消臭材４０が交換可能に配置されていることを特徴とするペット用汚物容器であって、好ましくは、蓋部３０がばね部と係止部とを備えたワンタッチ開閉機構５０を有しており、前記消臭材が、消臭機能を有する布材よりなるペット用汚物容器である。さらに、布材４０よりなる消臭材が前記蓋部の内側に螺着するホルダによって蓋部裏面に保持され、前記底部が容器本体に螺着されているペット用汚物容器であることが望ましい。また、圧縮復元自在な胴部を有するボトル本体と、前記ボトル本体の口部に取付けられ水噴出孔が形成された内蓋と、前記内蓋を覆い前記ボトル本体を密閉する外蓋とからなる洗浄用ボトルとを組み合わせてなるペット用汚物容器。【選択図】図２
0003110406.tif 000002
【実用新案登録請求の範囲】
【請求項１】
着脱可能な底部を有する容器本体と、密閉自在な蓋部とからなり、前記蓋部には消臭材が交換可能に配置されていることを特徴とするペット用汚物容器。
【請求項２】
前記蓋部がばね部と係止部とを備えたワンタッチ開閉機構を有する請求項１に記載のペット用汚物容器。
【請求項３】
前記消臭材が、消臭機能を有する布材よりなる請求項１又は２に記載のペット用汚物容器。
【請求項４】
前記布材よりなる消臭材が前記蓋部の内側に螺着するホルダによって蓋部裏面に保持されている請求項３に記載のペット用汚物容器。
【請求項５】
前記底部が容器本体に螺着されている請求項１ないし４のいずれか１項に記載のペット用汚物容器。
【請求項６】
圧縮復元自在な胴部を有するボトル本体と、前記ボトル本体の口部に取付けられ水噴出孔が形成された内蓋と、前記内蓋を覆い前記ボトル本体を密閉する外蓋とからなる洗浄用ボトルとを組み合わせてなる請求項１ないし５のいずれか１項に記載のペット用汚物容器。  
【考案の詳細な説明】
【技術分野】
【０００１】
本考案は、ペットの外出あるいは散歩時に使用する汚物容器に関する。
【背景技術】
【０００２】
たとえば、犬の散歩時において、汚物（糞。以下同じ）の処理は飼い主が行うのがマナーである。飼い主は、汚物の後始末をするために例えばビニール袋や布製バックを携帯し、汚物を袋に入れ、自宅へ持ち帰って処分をする。
【０００３】
一般に、汚物袋としては買物用のビニール袋などを用いることが多く、汚物を入れた後は単にビニール袋などに入れて口を結ぶだけであり、外観上の見た目が悪く、他人にも不快感を与えることがある。また、臭気が漏れることもある。さらに、車で外出する場合などは、車内などの置き場に困ることがある。
【０００４】
そのため、外観上の問題を解消する目的で、例えば、バスケット風の動物の排泄物ケース（例えば実願平５−３０２６６号公報参照）や、排泄物収納バッグであって臭気を吸収・分解する、脱着可能な不織布製の内袋を内蔵したバッグ（例えば実願２００３―２７０７５５公報参照）が提案されている。
【０００５】
しかしながら、従来の汚物収納ケースや布製バックなどは、密閉性が悪いので臭気が漏れてくることが多かった。また、収納ケース内の汚物を廃棄した後でも、臭気が犬汚物収納ケースや布製バックなどに残留する。さらに、容器や袋の内部に汚物が付着した場合に、完全に水洗いなどで洗浄することができないなどの問題が生じ、繰り返し使用することは、困難であった。
【考案の開示】
【考案が解決しようとする課題】
【０００６】
従って、本考案は、前記の問題点を鑑みてなされたものであり、密閉性が高く、繰り返し使用が可能である消臭機能付き犬汚物容器を提供するものである。
【課題を解決するための手段】
【０００７】
すなわち、請求項１の考案は、着脱可能な底部を有する容器本体と、密閉自在な蓋部とからなり、前記蓋部には消臭材が交換可能に配置されていることを特徴とするペット用汚物容器に係る。
【０００８】
請求項２の考案は、前記蓋部がばね部と係止部とを備えたワンタッチ開閉機構を有する請求項１に記載のペット用汚物容器に係る。
【０００９】
請求項３の考案は、前記消臭材が、消臭機能を有する布材よりなる請求項１又は２に記載のペット用汚物容器に係る。
【００１０】
請求項４の考案は、前記布材よりなる消臭材が前記蓋部の内側に螺着するホルダによって蓋部裏面に保持されている請求項３に記載のペット用汚物容器に係る。
【００１１】
請求項５の考案は、前記底部が容器本体に螺着されている請求項１ないし４のいずれか１項に記載のペット用汚物容器に係る。
【００１２】
請求項６の考案は、圧縮復元自在な胴部を有するボトル本体と、前記ボトル本体の口部に取付けられ水噴出孔が形成された内蓋と、前記内蓋を覆い前記ボトル本体を密閉する外蓋とからなる洗浄用ボトルとを組み合わせてなる請求項１ないし５のいずれか１項に記載のペット用汚物容器に係る。
【考案の効果】
【００１３】
請求項１の考案に係るペット用汚物容器によると、着脱可能な底部を有する容器本体と、密閉自在な蓋部とからなり、前記蓋部には消臭材が交換可能に配置されていることを特徴としているので、例えば犬の外出時や散歩時に汚物を収納して持ち歩いた場合にも、臭気が外部に漏れず、他人に迷惑を掛けることなく、飼い主本人も快適に前記ペット用汚物容器を持ち歩くことができる。
【００１４】
また、容器本体の底部が着脱可能であるため、容器内の汚物の廃棄を簡単に行うことができばかりでなく、容器内部の洗浄を簡単かつ確実に行うことができる。なお、汚物を廃棄した後にも当該容器に配置されている消臭材により消臭することができるので、容器内に臭気が残留することが防止され、毎回、快適に使用することができる。加えて、消臭材の効能が低下してきた場合には、新しい消臭材に交換可能であるので、繰り返し使用することができる。
【００１５】
請求項２の考案に係るペット用汚物容器によれば、前記蓋部がばね部と係止部とを備えたワンタッチ開閉機構を有するので、例えば、犬の散歩や外出時において、当該容器の開閉をワンタッチでできるので、汚物の収納を簡単にしかも素早く行うことができる。また、汚物を廃棄する際にも、ワンタッチで蓋の開閉ができ、手を汚すこともない。
【００１６】
請求項３の考案に係るペット用汚物容器によると、前記消臭材が、消臭機能を有する布材よりなるために、重量が極めて軽量となり、持ち運びに有利である。また、消臭機能を有する布材が濡れたり、汚れてしまった場合であっても、洗って乾かすことにより、消臭効能が無くならない限り、何度でも使用することができる。
【００１７】
請求項４の考案に係るペット用汚物容器によると、前記布材よりなる消臭材が前記蓋部の内側に螺着するホルダによって蓋部裏面に保持されているので、消臭材が汚れることなく、確実にかつ交換行為に保持できる。
【００１８】
請求項５の考案に係るペット用汚物容器によると、前記底部が容器本体に螺着されているので、容器本体への脱着が確実かつ容易である。
【００１９】
請求項６の考案に係るペット用汚物容器によると、圧縮復元自在な胴部を有するボトル本体と、前記ボトル本体の口部に取付けられ水噴出孔が形成された内蓋と、前記内蓋を覆い前記ボトル本体を密閉する外蓋とからなる洗浄用ボトルとを組み合わせて用いるので、例えばペットの外出時や散歩時に、汚物により路面等が汚れた場合にあっては、洗浄用ボトル内部の水を汚れた路面等にかけることで路面等を清潔にすることができる。ボトル本体は圧縮復元自在であるので、片手で水を噴出することができる。
【考案を実施するための最良の形態】
【００２０】
以下、添付の図面に従って、本考案の実施形態を詳細に説明する。図１は本考案の一実施例に係るペット用汚物容器の全体斜視図、図２はその断面図、図３は図２の符号３部分の拡大側面図、図４は容器本体と蓋部との係止構造を示す要部の拡大断面図、図５はホルダの平面図、図６は蓋部の内側を示す平面図、図７は洗浄ボトルの切欠断面図である。
【００２１】
請求項１の考案として規定し、図１及び図２に示したように、本考案に係るペット用汚物容器１０は、着脱可能な底部２１を有する容器本体２０と、密閉自在な蓋部３０とからなり、前記蓋部３０には消臭材が交換可能に配置されているペット用汚物容器である。図２に示すように、容器本体２０の上部には、溝２４が設けられ、例えばゴムなどの弾性体からなるシール材２５が配置されており、蓋部３０を閉じて容器本体２０を係止させることにより、シール材２５が変形して容器本体２０と蓋部３０に密着し、密閉性が保たれる。当該容器本体２０、蓋部３０、底部２１などの材質は、特に限定されないが、携帯しやすいように、軽量である樹脂が好ましい。ここで、消臭材は、特に限定するものではなく、活性炭、ゼオライト、珪藻土等の多孔性無機物質、カルボキシル基を導入した繊維などが挙げられる。着脱可能な底部２１と蓋部３０への消臭材の配置方法については後述する。
【００２２】
請求項２の考案として規定したワンタッチ開閉機構５０のばね部は、図３に示すように、容器本体の支持部２６と蓋部３０に固着した回動部３２が軸５４により軸着されている。さらに、軸５４にばね５１が巻回されており、ばねの一端５３は容器本体の支持部２６に固定され、ばねの他端５２は蓋部３０に固着した回動部３２に固定されている。また、ワンタッチ開閉機構５０の係止部は図４、図５に示すように、押圧部５５が保持部５７により容器本体２０に配置されており、蓋部３０が閉状態のときには、係止爪５６が係止孔３３に挿入されることで、係止されている。図５において、押圧部５５を矢印Ａ方向に押すと、係止爪５６が係止孔３３から外れ、ばね５１の弾力によって、回動部３２が回動して蓋部３０が開状態になる。このようなワンタッチ開閉機構を有することで、手を汚すことなく簡単に、素早く汚物を収納することができる。
【００２３】
請求項３の考案として規定し、図２に示したように、消臭材は消臭機能を有する布材４０を用いている。消臭機能を有する布材の一例としては、例えばデオロン（登録商標）があり、１００ｐｐｍアンモニア（１００ｐｐｍは生活空間のアンモニア濃度の２０倍以上）を２時間で９９％、インドールガス（排便臭）を２時間で９５％消臭することができる（於；財団法人  日本化学繊維検査協会）。従って、デオロン（登録商標）よりなる不織布などは、本考案のペット用汚物容器の消臭材として好適である。
【００２４】
請求項４の考案として規定し、図６、図７に示したように、布材よりなる消臭材４０は蓋部３０の内側に螺着するホルダ３５によって蓋部裏面に保持されている。ホルダ３５は、ホルダ側螺着片３７と、つまみ３６よりなり、蓋部３０の内側に布材よりなる消臭材４０を折り畳んで、ホルダ３５により保持する。ホルダ３５の保持は、蓋側螺着片３４とホルダ側螺着片３７を螺着させて行う。図７に示すように、ホルダ３５により蓋部３０の内側に消臭材４０を保持することで、布材よりなる消臭材４０と臭気が接触する表面積を確保することができ、消臭材を十分に機能させることができる。また、ホルダと蓋部とを螺着させているので、簡単に取り外すことができ、消臭剤の取り外しも容易である。ホルダの材質は特に限定されないが、本考案のペット用汚物容器全体の重量が軽量となるように、樹脂が好適である。
【００２５】
請求項５の考案として規定し、図１，図２に示したように当該容器の底部２１は、容器本体の外溝２３と底部の内溝２２を螺着させているので、容器本体２０から底部２１の着脱が可能である。また、容器本体２０の下側にはゴムなどの弾性体からなるシール材２７をはめ込んでいるので、容器本体の外溝２３と底部の内溝２２を螺着させることにより、シール材２７が変形して容器本体２０と底部２１に密着し、容器内部の密閉性が保たれる。底部２１が容器本体２０から脱着可能なことから、汚物を廃棄し易く、容器の内部を簡単に洗浄することができる。
【００２６】
請求項６の考案として規定したように、請求項１ないし５のいずれか１項に記載のペット用汚物容器は、図６に一例として示す洗浄用ボトル６０と組み合わせて使用することができる。洗浄用ボトル６０は、圧縮復元自在な胴部を有する本体６１と、前記ボトル本体の口部６２に取り付けられ水噴出孔６６が形成された内蓋６５と、前記内蓋６５を覆い前記ボトル本体６１を密閉する外蓋７０からなっている。内蓋６５とボトル本体６１はボトル本体側の外溝６３と、内蓋側にある内溝６７を螺着させている。洗浄用ボトルの胴部が圧縮復元自在であるため、片手でボトル本体６１を圧縮させれば、内蓋に形成された水噴出孔６６から容器内の水（Ｗ）が噴出するので、簡単に路面などを洗浄することができる。また、ホルダリング７１を内蓋６５により挟着させ、ホルダリング７１の一部と外蓋７０の一部にはそれぞれ突部が設けられ、そこにひも７２を通すことで、外蓋７０がと本体６１から外れないようにすることができる。なお、蓋部とボトルの材質としては、特に限られないが、持ち運びやすいように軽量で圧縮復元自在であるポリプロピレン等である樹脂が望ましい。
【図面の簡単な説明】
【００２７】
【図１】本考案の一実施例に係るペット用汚物容器の全体斜視図である。
【図２】図１の断面図である。
【図３】図２の符号３部分の拡大側面図である。
【図４】容器本体と蓋部との係止構造を示す要部の拡大正面図である。
【図５】図４の拡大断面図である。
【図６】ホルダの平面図
【図７】蓋部の内側を示す平面図である。
【図８】洗浄ボトルの切欠断面図の一例である。
【符号の説明】
【００２８】
１０  ペット用汚物容器
２０  容器本体
２１  底部
２２  内溝
２３  外溝
２４  溝
２５、２７  シール材
２６  支持部
３０  蓋部
３１  係止部
３２  回動部
３３  係止孔
３４  蓋側螺着片
３５  ホルダ
３６  つまみ
３７  ホルダ側螺着片
４０  消臭剤
５０  ワンタッチ開閉機構
５１  ばね
５２  ばね一端
５３  ばね他端
５４  軸
５５  押圧部
５６  係止爪
５７  保持部
６０  洗浄用ボトル
６１  ボトル本体
６２  ボトル口部
６３  外溝
６５  内蓋
６６  水噴出孔
６７  内蓋
７０  外部
７１  ホルダリング
７２  ひも
【図１】
0003110406.tif 000003
【図２】
0003110406.tif 000004
【図３】
0003110406.tif 000005
【図４】
0003110406.tif 000006
【図５】
0003110406.tif 000007
【図６】
0003110406.tif 000008
【図７】
0003110406.tif 000009
【図８】
0003110406.tif 000010